(57)【要約】      （修正有）【課題】実施形態の課題は、強度を維持しながら、薄型化および狭額縁化を図ることが可能な液晶表示装置を提供する。【解決手段】液晶表示装置は、液晶パネル１２と、液晶パネル１２の表示面に重ねて配置されたカバーパネル１４と、カバーパネル１４に固定され液晶パネル１２の背面側を覆う収容ケース１６と、収容ケース１６内に配置され液晶パネル１２に隙を置いて対向するバックライト装置と、収容ケース１６の側板に設けられ光学シートＯＳ３の周縁部に対向する第１押え部材と、収容ケースの側板に取付けられた固定部４０ｂ、４０ｃと、光学シートと液晶パネル１２の背面との間に介在し光源装置および光学シートの光源装置側の端部を覆う第２押え部４０ａと、を有する第２押え部材４０と、を備えている。【選択図】図１３
2020118900.tif 000002
【特許請求の範囲】
【請求項１】
カバーパネルとバックライト装置との間に液晶パネルが設けられ、該液晶パネルとバックライト装置が収容ケースに収容され、当該収容ケースがカバーパネルに固定されており、
前記収容ケースは、前記液晶パネルの背面に間隔を置いて対向する底板と、前記底板の側縁に沿って立設される複数の側板とを有し、前記側板の端縁が前記カバーパネルに固定されており、
前記バックライト装置は、前記収容ケース内で前記底板上に載置された導光板と、前記導光板上に載置され前記液晶パネルに隙間を置いて対向する光学シートと、前記導光板の入射面と１つの前記側板との間に配置され、前記入射面に入射する光を供給する光源装置と、を具備し、
前記収容ケース内には、さらに、前記側板の１つに設けられ、前記光学シートの周縁部と前記液晶パネルとの間に介在し、前記光学シートの周縁部に対向する第１押え部材と、
前記入射面に対向する前記側板に取付けられた固定部と、前記光学シートと前記液晶パネルの背面との間に介在し前記光源装置および前記光学シートの前記光源装置側の端部を覆う第２押え部と、を有する第２押え部材と、が設けられている
液晶表示装置。
【請求項２】
前記第１押え部材は、金属板により形成され、前記側板の内面に固定された固定部と、前記固定部から前記光学シートと前記液晶パネルとの間に延出した第１押え部とを有している請求項１に記載の液晶表示装置。
【請求項３】
前記第２押え部材は、金属板により形成され、前記側板の内面に固定された第１固定部と、前記側板の外面に固定された第２固定部と、前記第１固定部および第２固定部から前記光学シートと前記液晶パネルとの間に延出した前記第２押え部とを有している請求項１又は２に記載の液晶表示装置。
【請求項４】
前記側板は、前記入射面に対向する第１側板と、前記第１側板に対向する第２側板とを含み、前記第１押え部材は前記第２側板に設けられ、前記第２押え部材は前記第１側板に設けられている請求項１に記載の液晶表示装置。
【請求項５】
前記光源装置は、前記底板上に設けられた配線基板と、前記配線基板上に実装され前記入射面に対向する複数の発光素子と、を備えている請求項４に記載の液晶表示装置。
【請求項６】
前記第１側板と前記導光板の入射面との間に、前記光源装置に重ねて配置されたスペーサ板を備え、前記スペーサ板は、位置決め部が設けられた上面と、前記第１側板に対向する側面とを有し、
前記光学シートは、前記位置決め部に係合され前記光学シートの面方向の位置決めをする位置決め凸部を一体に有している請求項５に記載の液晶表示装置。
【請求項７】
前記位置決め部は、前記スペーサ板の上面に形成された凹部と、前記凹部の底面に突設された位置決めピンと、を有し、
前記光学シートの位置決め凸部は、前記凹部に装着され、前記位置決め凸部に形成された孔に前記位置決めピンが挿通されている請求項６に記載の液晶表示装置。
【請求項８】
前記液晶パネルは、表示領域と、前記表示領域の周囲に位置する額縁領域と、を有し、
前記第１押え部材および前記第２押え部材は、前記額縁領域と重畳する位置に配置されている請求項１に記載の液晶表示装置。
【請求項９】
前記第１押え部材の第１押え部は、隙間を置いて前記液晶パネルの額縁領域に対向し、前記液晶パネルが撓んだ際に前記液晶パネルを支持可能であり、
前記第２押え部材の第２押え部は、隙間を置いて前記液晶パネルの額縁領域に対向し、弾性材層を介して前記液晶パネルに当接している請求項２に記載の液晶表示装置。
【発明の詳細な説明】
【技術分野】
【０００１】
本発明の実施形態は、液晶表示装置に関する。
【背景技術】
【０００２】
近年、液晶表示装置は、カーナビゲーションシステムの表示装置、あるいは、操作パネルの表示装置など、車載向け表示装置として広く用いられている。
一般に、車載向け液晶表示装置は、比較的広い設置空間に配置されることを前提としているため、剛性と信頼性への適合を重視した構造が主流となっている。例えば、液晶表示装置の厚みを比較的厚くし、また、額縁領域を広く確保した構造を採用することが可能である。しかしながら、近年、自動車室内空間の多様性が見込まれ、液晶表示装置の薄型化や狭額縁化が求められるようになってきている。同時に、車載用途の表示装置では、広い温度保証領域の中で長期間の衝撃や振動に耐久する剛性、強度が必要となる。
【先行技術文献】
【特許文献】
【０００３】
【特許文献１】特開２０１５−２１１４７３号公報
【発明の概要】
【発明が解決しようとする課題】
【０００４】
ここで述べる実施形態の課題は、剛性、強度を維持しながら、薄型化および狭額縁化を図ることが可能な液晶表示装置を提供することにある。
【課題を解決するための手段】
【０００５】
実施形態に係る液晶表示装置は、液晶パネルと、前記液晶パネルの表示面に重ねて配置されたカバーパネルと、前記液晶パネルの背面に間隔を置いて対向する底板と、前記底板の側縁に沿って立設され前記液晶パネルの周縁に隙間を置いて対向する複数の側板と、を有し、前記側板の端縁が前記カバーパネルに固定され、前記液晶パネルを覆う収容ケースと、前記収容ケース内で前記底板上に載置された導光板と、前記導光板上に載置され前記液晶パネルの背面に隙間を置いて対向する光学シートと、前記導光板の入射面と１つの前記側板との間に配置され、前記入射面に入射する光を供給する光源装置と、を具備したバックライト装置と、前記側板の１つに設けられ、前記光学シートの周縁部と前記液晶パネルとの間に介在し、前記光学シートの周縁部に対向する第１押え部材と、前記入射面に対向する前記側板に取付けられた固定部と、前記光学シートと前記液晶パネルの背面との間に介在し前記光源装置および前記光学シートの前記光源装置側の端部を覆う第２押え部と、を有する第２押え部材と、を備えている。
【図面の簡単な説明】
【０００６】
【図１】図１は、実施形態に係る液晶表示装置の表示面側を示す平面図。
【図２】図２は、前記液晶表示装置の分解斜視図。
【図３】図３は、前記液晶表示装置のバックライト装置の分解斜視図。
【図４】図４は、前記バックライト装置のケースおよび第１押え部材を示す斜視図。
【図５】図５は、前記バックライト装置の第２押え部材を斜視図。
【図６】図６は、前記第２押え部材が装着された状態の前記ケースの光源側端部を一部破断して示す平面図。
【図７】図７は、前記ケースの光源側端部を示す斜視図。
【図８】図８は、光学シートを設置した状態を示す前記ケースの光源側の斜視図。
【図９】図９は、図１の線Ａ−Ａに沿った第１押え部分の前記液晶表示装置の断面図。
【図１０】図１０は、図１の線Ｂ−Ｂに沿った前記液晶表示装置の長辺側端部の断面図。
【図１１】図１１は、図１の線Ｃ−Ｃに沿った前記液晶表示装置の短辺側端部の断面図。
【図１２】図１２は、図１の線Ｄ−Ｄに沿った前記液晶表示装置の短辺側端部の断面図。
【図１３】図１３は、図１の線Ｅ−Ｅに沿った前記液晶表示装置の光源側長辺部の断面図。
【図１４】図１４は、図１の線Ｆ−Ｆに沿った前記液晶表示装置の光源側長辺部の断面図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（実施形態）  
図１は、実施形態に係る液晶表示装置の表示面側を示す平面図、図２は、液晶表示装置の分解斜視図である。
液晶表示装置１０は、例えば、カーナビゲーションシステム、操作パネル、メータパネルなどの種々の車載機器に組み込んで使用することができる。
図１および図２に示すように、液晶表示装置１０は、アクティブマトリクス型の液晶表示パネル（液晶パネル）１２と、液晶パネル１２の一方の表面である表示面１２ａに重ねて配置され、表示面１２ａ全体を覆うカバーパネル１４と、液晶パネル１２の他方の表面である背面に対向配置されたバックライト装置（バックライトユニット）２０と、を備えている。液晶パネル１２およびバックライト装置２０は、上部が開放した収容ケース（バックライトカバー）（以下、ケースと称する）１６に収容されている。収容ケース１６はカバーパネル１４によって覆われ、該カバーパネル１４は収容ケース１６に固定されている。また、液晶表示装置１０は、制御回路基板１９を備えている。制御回路基板１９は、ケース１６の外部に配置され、フレキシブルプリント配線基板（ＦＰＣ）２２ａ、２２ｂを介して液晶パネル１２に電気的に接続されている。
【０００９】
図９は、図１の線Ａ−Ａに沿った液晶表示装置の反光源側の断面図である。図２および図９に示すように、液晶パネル１２は、矩形状の第１基板ＳＵＢ１と、第１基板ＳＵＢ１に対向配置された矩形状の第２基板ＳＵＢ２と、第１基板ＳＵＢ１と第２基板ＳＵＢ２との間に設けられた液晶層ＬＱと、を備えている。第１基板ＳＵＢ１および第２基板ＳＵＢ２は、それぞれガラス板あるいは樹脂板等の透明な絶縁基板により形成されている。第２基板ＳＵＢ２の周縁部は、シール材ＳＥにより第１基板ＳＵＢ１に貼り合わされている。一例では、第２基板ＳＵＢ２は、一対の長辺および一対の短辺を有し、一対の長辺は、第１基板ＳＵＢ１の一対の長辺とほぼ同一の長さに形成されている。第２基板ＳＵＢ２の一対の短辺は、第１基板ＳＵＢ１の一対の短辺よりもそれぞれ僅かに短い長さに形成されている。第２基板ＳＵＢ２を第１基板ＳＵＢ１に貼り合わせた状態において、第１基板ＳＵＢ１の一方の長辺側端部ＥＡ１は、第２基板ＳＵＢ２と重ならない。第２基板ＳＵＢ２の表面に偏光板ＰＬ２が貼付され、液晶パネル１２の表示面１２ａを形成している。第１基板ＳＵＢ１の表面（液晶パネル１２の背面）に偏光板ＰＬ１が貼付されている。
【００１０】
液晶パネル１２では、表示面１２ａを平面視（液晶パネルの表面の法線方向から当該液晶パネルを視認する状態をいう。以下同様である）した状態で、シール材ＳＥの内側となる領域に矩形状の表示領域（アクティブ領域）ＤＡが設けられている。表示領域ＤＡの周囲に、矩形枠状の額縁領域（非表示領域）ＥＤが設けられている。バックライトユニット２０からの光は表示領域ＤＡによって画素単位で選択的に透過され、これによって表示領域ＤＡに画像が表示される。
【００１１】
２本のＦＰＣ２２ａ、２２ｂの一端が第１基板ＳＵＢ１の長辺側端部ＥＡ１に接合され、液晶パネル１２に電気的に接続されている。ＦＰＣ２２ａ、２２ｂは、液晶パネル１２から外方に延出し、制御回路基板１９に接続されている。制御回路基板１９には、液晶パネル１２を駆動するのに必要な信号を供給する信号供給源として、図示しない駆動ＩＣチップ等の半導体素子が複数実装されている。
【００１２】
図１、図２、図９に示すように、カバーパネル１４は、例えば、ガラス板あるいはアクリル系の透明樹脂等により、矩形平板状に形成されている。カバーパネル１４は、液晶パネル１２の寸法（幅、長さ）よりも大きな幅および長さを有し、平面視で液晶パネル１２よりも大きな面積を有している。カバーパネル１４の背面（裏面、液晶表示パネル側の面）は、例えば、透明な接着剤からなる粘着層ＡＤにより、液晶パネル１２の表示面１２ａに貼付され、液晶パネル１２の表示面１２ａを全面に亘って覆っている。粘着層ＡＤは、偏光板ＰＬ２とほぼ同一の寸法（幅、長さ）に形成され、偏光板ＰＬ２の全面に貼付されている。カバーパネル１４を液晶パネル１２に貼り付けた状態を平面視した場合、カバーパネル１４の周縁部は、液晶パネル１２の外周縁よりも外側に突出している。
【００１３】
次に、ケース１６およびバックライトユニット２０について説明する。  
図３は、ケースおよびバックライトユニットの分解斜視図である。図２および図３に示のように、バックライトユニット２０を覆うケース１６は、薄い板材により構成されている。ケース１６は、例えば、０．２ｍｍ厚のステンレス板材を折曲げ加工やプレス成形等することにより、上部を開放した偏平な矩形箱状に形成されている。ケース１６の板厚が薄いほど額縁を狭くでき、表示装置全体の厚さも薄くできる。
ケース１６は、矩形状の底板１７ａと、底板１７ａの各側縁に立設された一対の長辺側の側板１７ｂ、１７ｃおよび一対の短辺側の側板１７ｄ、１７ｅと、を有している。平面視で、底板１７ａは、液晶パネル１２の寸法よりも大きく、かつ、カバーパネル１４の寸法よりも小さい。本実施形態において、側板（第１側板、第２側板）１７ｂ、１７ｃは、底板１７ａに対してほぼ垂直に立設し、底板１７ａの各長辺の全長に亘って延在している。側板１７ｄ、１７ｅは、底板１７ａに対してほぼ垂直に立設し、底板１７ａの各短辺の全長に亘って延びている。これら側板１７ｂ〜１７ｅの底板１７ａからの高さＨ１は、液晶パネル１２の厚さと、後述するバックライトユニット２０の厚さとの合計と同じかそれよりも大きく形成されている。  
【００１４】
光源側に位置する側板（第１側板）１７ｂは、側板１７ｂの上端縁に形成された２つの凹部１８を有している。凹部１８は、それぞれ矩形状に形成され、側板１７ｂの長手方向に沿って延在している。２つの凹部１８は、側板１７ｂの長手方向に間隔を置いて設けられている。凹部１８が形成されている部分の側板１７ｂの高さＨ２は、他の部分の高さＨ１の６０％程度であり、バックライトユニット２０の厚さとほぼ等しく設定されている。後述するように、液晶パネル１２から延出する２つのＦＰＣ２２ａ、２２ｂは、それぞれ凹部１８を通して、ケース１６の外部に引き出される。
側板１７ｂにおいて、凹部１８が形成された部分の壁部に、ケース１６の外方に僅かに突出する第２係止爪２１ｂが設けられている。側板１７ｂの他の部分の壁部に、ケース１６の内方に僅かに突出する複数の第１係止爪２１ａが設けられている。各側板１７ｄ、１７ｅの側板１７ｂ側の端部に、ケース１６の内方に僅かに突出する第３係止爪２１ｃが設けられている。第１、第２、第３係止爪２１ａ、２１ｂ、２１ｃは、例えば、側板の一部を切り起こした切起し片により形成される。
【００１５】
図４は、ケースの反光源側の端部を示す斜視図である。図３および図４に示すように、側板（第２側板）１７ｃの長手方向の両端部に、第１押え部材２４がそれぞれ設けられている。第１押え部材２４は、例えば、金属板材をＬ形状に折り曲げて形成され、平坦な矩形状の第１押え部２４ａと第１押え部２４ａに直交する平坦な矩形状の固定部２４ｂとを一体に有している。  
図４および図９に示すように、固定部２４ｂは、例えば、両面テープＴＰ１により、側板１７ｃの内面に貼付、固定されている。第１押え部２４ａは、側板１７ｃからケース１６内に突出し、底板１７ａとほぼ平行に対向している。底板１７ａから第１押え部２４ａまでの高さＨ３は、バックライトユニット２０の厚さよりも僅かに大きく設定している。
なお、第１押え部材２４は、２つに限らず、３つ以上、設けるようにしてもよい。また、設置位置は、側板１７ｃの長手方向両端部に限らず、側板１７ｄ、１７ｅの側板１７ｃ側の端部に設けるようにしてもよい。更に、第１押え部材２４は、独立した板材に限らず、側板１７ｃあるいは側板１７ｄ、１７ｅの一部をケース１６の内側に切り起こした切起し片により押え部を形成することも可能である。
【００１６】
図１０は、図１の線Ｂ−Ｂに沿った液晶表示装置の反光源側の断面図、図１１および図１２は、それぞれ図１の線Ｃ−Ｃ、線Ｄ−Ｄに沿った液晶表示装置の短辺側端部の断面図、図１３および図１４は、それぞれ図１の線Ｅ−Ｅ、線Ｆ−Ｆに沿った液晶表示装置の光源側の断面図である。  
図２および図９乃至図１４に示すように、上記のように構成されたケース１６は、バックライトユニット２０および液晶パネル１２に被せて配置されている。また、ケース１６の側板１７ｂ、１７ｃの端縁および側板１７ｄ、１７ｅの上端縁を接着剤ＡＬでカバーパネル１４の下面に貼付することにより、カバーパネル１４に固定されている。一例では、接着剤ＡＬとして熱硬化接着剤を用いている。ケース１６の底板１７ａは、液晶パネル１２の背面に間隔を置いてほぼ平行に対向している。一対の側板１７ｂ、１７ｃおよび一対の側板１７ｄ、１７ｅは、液晶パネル１２の対応する側縁と僅かな隙間（例えば、０．１〜０．５ｍｍ）を介して対向している。これらの側板１７ｂ、１７ｃ、１７ｄ、１７ｅの上端縁は、接着剤ＡＬに差し込まれ、上端縁とカバーパネル１４の内面との間に接着剤ＡＬが介在した状態で、接着剤ＡＬによりカバーパネル１４に貼付および固定されている。このように接着剤ＡＬを介在させることにより、側板の上端縁がカバーパネル１４の内面に直接的に接触して傷付けることを防止できる。また、接着剤ＡＬ自体の弾性により、ケース１６の歪をカバーパネル１４および液晶パネル１２に伝え難くし、液晶パネル１２のギャップムラの発生等を回避することができる。  
なお、各側板の上端縁にケース外側に延出するフランジを設け、このフランジを両面テープあるいは接着層によりカバーパネル１４に貼付および固定するようにしてもよい。フランジを設けた場合、接着面積が拡大し、ケース１６をカバーパネル１４に強固に固定することができる。
【００１７】
図１４に示すように、ケース１６をカバーパネル１４に取付けた状態において、液晶パネル１２から延出するＦＰＣ２２ａ、２２ｂは、側板１７ｂの凹部１８を挿通してケース１６の外方へ延出している。  
【００１８】
バックライトユニット２０について説明する。図２および図３に示すように、バックライトユニット２０は、ケース１６内に載置された複数の光学部材、および、光学部材に光を供給する光源装置（光源ユニット）３０を有している。光学部材は、底板１７ａ上に敷設された後述の反射シートＲＥと、反射シートＲＥ上に配置される矩形状の導光板ＬＧと、導光板ＬＧ上に配置される複数枚、例えば、ほぼ矩形状の３枚の光学シートＯＳ１、ＯＳ２、ＯＳ３と、を含んでいる。
【００１９】
光源ユニット３０は、ケース１６の長辺とほぼ等しい長さを有する細長い帯状のプリント配線基板（ＦＰＣ、以下、配線基板と称する）３１と、配線基板３１上に実装された複数の光源、例えば、発光ダイオード（ＬＥＤ）３２とを有している。光源ユニット３０は、底板１７ａ上で、側板１７ｂの近傍に配置され、側板１７ｂの全長に沿って延在している。複数のＬＥＤ３２は、配線基板３１の長手方向（側板１７ｂと平行な方向）に所定のピッチで並んで設けられている。なお、配線基板３１は、一側縁から延出した図示しない接続端部を有し、この接続端部をＦＰＣ２２ａ又は２２ｂ、あるいは、制御回路基板１９に接続することにより電源に接続可能となっている。
【００２０】
バックライトユニット２０あるいはケース１６は、光源ユニット３０に重ねて配置される細長い角柱形状のスペーサ板３４と、側板１７ｂに装着され光学シートＯＳ１〜ＯＳ３を押える第２押え部材４０と、を更に備えている。  
スペーサ板３４は、例えば、合成樹脂で形成されている。スペーサ板３４は、側板１７ｂの長さとほぼ等しい長さを有する上面３４ａと、側板１７ｂに対向する側面３４ｂと、光源ユニット３０に対向する底面３４ｄと、導光板ＬＧに対向する側面３４ｃを有している。上面３４ａの２か所に、位置決め用の凹部３５が設けられ、更に、凹部３５の底面に位置決めピン３３が突設されている。また、スペーサ板３４の側面３４ｂは、側板１７ｂに当接可能な２つの凸部３６ａ、３６ｂと、側板１７ｂに隙間を置いて対向する３つの凹部３７ａ、３７ｂ、３７ｃと、を有している。２つの凸部３６ａ、３６ｂは、それぞれ側板１７ｂの凹部１８が設けられた部分に当接する位置に設けられ、凹部３７ａ、３７ｂ、３７ｃは各凸部３６ａ、３６ｂの長手方向の両側に設けられている。また、スペーサ板３４の底面３４ｄおよび側面３４ｃには、それぞれＬＥＤ３２を収容するための多数の凹部３８が形成されている。
【００２１】
図５は、第２押え部材および第２押え部材の一部を拡大して示す斜視図である。  
図示のように、第２押え部材４０は、例えば、金属板材をＬ形状に折り曲げて形成され、細長い矩形状の第２押え部４０ａと、それぞれ第２押え部４０ａの一側縁と直交する複数、例えば、３つの第１固定部４０ｂと、それぞれ第２押え部４０ａの上記一側縁と直交する２つの第２固定部４０ｃと、第１押え部４０ａの長手方向の両端縁と直交する２つの矩形状の第３固定部４０ｄと、を一体に有している。
【００２２】
第２押え部４０ａは、側板１７ｂとほぼ等しい長さ、およびスペーサ板３４の上面３４ａの幅よりも大きい所定の幅を有している。第１固定部４０ｂと第２固定部４０ｃは第２押え部４０ａの長手方向に交互に並んで設けられている。本実施形態では、第１固定部４０ｂは、第２押え部材４０の長手方向の両端部および中央部に設けられ、第２固定部４０ｃはそれぞれ２つの第１固定部４０ｂの間に設けられている。３つの第１固定部４０ｂは第２押え部４０ａと直交する第１平面上に並んで配置され、２つの第２固定部４０ｃは、第２押え部４０ａと直交する第２平面上に並んで配置されている。第１平面と第２平面とは、所定の間隔、例えば、側板１７ｂの板厚とほぼ等しい間隔を置いて対向している。すなわち、各第２固定部４０ｃは、第１固定部４０ｂに対して、第２押え部４０ａから離間する方向に、側板１７ｂの板厚分だけずれた位置に、かつ、第１固定部４０ｂとほぼ平行に設けられている。
【００２３】
第１固定部４０ｂ、第２固定部４０ｃ、および第３固定部４０ｄの高さ（幅）Ｈ４（図１３参照）は、バックライトユニット２０の厚さよりも大きく形成されている。
各第１固定部４０ｂには、ケース１６の外方側に僅かに突出する１つあるいは複数の第１係止爪４２ａが設けられている。各第２固定部４０ｃには、ケース１６の内方側に僅かに突出する第２係止爪４２ｂが設けられている。各第３固定部４０ｄには、ケース１６の外方側に僅かに突出する１つあるいは複数の第３係止爪４２ｃが設けられている。第１、第２、第３係止爪４２ａ、４２ｂ、４２ｃは、例えば、各固定部を構成している板材の一部を切り起こした切起し片により形成される。
【００２４】
図２、図３、および図９乃至図１４に示すように、バックライトユニット２０の反射シートＲＥは、ケース１６の底板１７ａ上に載置され、光源側の端部を除いて底板１７ａのほぼ全面と対向している。本実施形態では、反射シートＲＥは、両面テープＴＰ２を介して底板１７ａに貼付されている。  
導光板ＬＧは、透光性を有する樹脂、例えば、アクリル系あるいはシリコン系の樹脂、を矩形状に形成してなり、直方体状を成している。導光板ＬＧは、出射面となる第１主面Ｓ１と、この第１主面Ｓ１の反対側の第２主面Ｓ２と、第１主面Ｓ１の端部と第２主面Ｓ２の端部の間に設けられる入射面ＥＦと、を有している。本実施形態では、導光板ＬＧの長辺側の一側面を入射面ＥＦとしている。導光板ＬＧは、平面視でケース１６の内法寸法よりも僅かに小さい寸法（長さ、幅）、かつ、液晶パネル１２の表示領域ＤＡよりも僅かに大きな寸法に形成されている。導光板ＬＧは、第２主面Ｓ２が反射シートＲＥに対向した状態で、反射シートＲＥ上に重ねて載置されている。導光板ＬＧの入射面ＥＦは、ケース１６の側板１７ｂと隙間をおいて対向している。導光板ＬＧの他の側面は、それぞれ僅かな隙間（例えば、０．１〜０．５ｍｍ程度）を置いてケース１６の側板１７ｃ、側板１７ｄ、１７ｅに対向している。
【００２５】
図３、図１３、図１４に示すように、光源ユニット３０は、底板１７ａ上で側板１７ｂの近傍に配置され、側板１７ｂに全長に沿って設けられている。配線基板３１は、両面テープＴＰ３により底板１７ａに貼付されている。配線基板３１は、反射シートＲＥと側板１７ｂとの間に配置されている。導光板ＬＧの光源側の端部は、配線基板３１の側縁部上に位置し、両面テープ等により配線基板３１に貼付されている。配線基板３１上に実装された複数のＬＥＤ３２は、それぞれ出射面が導光板ＬＧの入射面ＥＦに隣接対向し、あるいは、入射面ＥＦに当接している。
スペーサ板３４は、導光板ＬＧの入射面ＥＦと側板１７ｂとの間に配置され、配線基板上３１上に重ねて載置されている。スペーサ板３４の底面３４ｄの少なくとも一部は、両面テープあるいは接着層により配線基板３１に貼付されている。スペーサ板３４の一側面は入射面ＥＦに当接し、他側面側の凸部３６ａ、３６ｂは側板１７ｂに当接し、あるいは、わずかな隙間を置いて側板１７ｂに対向している。スペーサ板３４により、導光板ＬＧと側板１７ｂとの間隔が一定に維持されている。
図７は、ケース１６に装着されたスペーサ板３４の一部を示す斜視図である。図７、図１３、図１４に示すように、スペーサ板３４を装着した状態において、各ＬＥＤ３２は、スペーサ板３４の対応する凹部３８内に隙間を持って収容されている。また、導光板ＬＧの第１主面Ｓ１は、スペーサ板３４の凹部３５の底面とほぼ面一に位置している。
【００２６】
図３に示すように、光学シートＯＳ１〜ＯＳ３は、それぞれ矩形状に形成され、導光板ＬＧの長さとほぼ等しい長さ、および導光板ＬＧの幅よりも僅かに大きな幅に形成されている。光学シートＯＳ１は、光源側となる一方の長辺から突出した位置決め用の２つの凸部ＰＰ１を有している。各凸部ＰＰ１の中央に位置決めピンを挿通するための孔ＴＨが形成されている。同様に、光学シートＯＳ２、ＯＳ３は、長辺から突出した位置決め用の２つの凸部ＰＰ２、ＰＰ３をそれぞれ有し、各凸部に孔ＴＨが形成されている。また、少なくとも１枚の光学シートに、例えば、最下層の光学シートＯＳ１の光源側端部および凸部ＰＰ１上に、黒色印刷層等からなる遮光層ＢＬが設けられている。
本実施形態においては、光学シートＯＳ１、ＯＳ２、ＯＳ３として、例えば、ポリエチレンテレフタレート等の合成樹脂で形成された拡散シートＯＳ１、ＯＳ２およびプリズムシートＯＳ３を用いている。
【００２７】
図３および図９乃至図１４に示すように、光学シートＯＳ１、ＯＳ２、ＯＳ３は、導光板ＬＧの第１主面Ｓ１上に順に重ねて載置されている。また、図８および図１３に示すように、光学シートＯＳ１〜ＯＳ３の凸部ＰＰ１、ＰＰ２、ＰＰ３は、スペーサ板３４の凹部３５に順に積層して配置され、更に、孔ＴＨに位置決めピン３３が挿通されている。凸部ＰＰ１に両面テープＴＰ５を介して凸部ＰＰ２が貼付され、凸部ＰＰ２に両面テープＴＰ６を介して凸部ＰＰ３が貼付されている。更に、凸部ＰＰ３およびスペーサ板３４の上面３４ａに両面テープＴＰ７が貼付され、凸部ＰＰ３はスペーサ板３４に固定されている。これにより、光学シートＯＳ１、ＯＳ２、ＯＳ３は、凸部ＰＰ１、ＰＰ２、ＰＰ３により、面方向の位置が位置決めされている。従って、図９乃至図１４に示すように、光学シートＯＳ１、ＯＳ２、ＯＳ３の光源側の側縁を除く、少なくとも３つの側縁は、それぞれ僅かな隙間（例えば、０．１〜０．５ｍｍ程度）を介してケース１６の側板１７ｃ、側板１７ｄ、１７ｅに対向している。そして、最上層の光学シートＯＳ３は、所定の隙間を介して、液晶パネル１２の背面のほぼ全面に対向している。
【００２８】
図２および図９に示すように、光学シートＯＳ１〜ＯＳ２を導光板ＬＧ上に敷設した状態において、第１押え部材２４の第１押え部２４ａは、光学シートＯＳ３と液晶パネル１２との間に介在し、光学シートＯＳ３の反光源側端部に僅かな隙間を置いて対向している。第１押え部２４ａは、液晶パネル１２の額縁領域ＥＤと重畳する位置に設けられ、僅かな隙間（例えば、０．５〜２．０ｍｍ）を置いて液晶パネル１２に対向している。第１押え部２４ａは、光学シートＯＳ１〜ＯＳ２の反光源側の端部に対向し、これら光学シートの厚さ方向における位置ずれを規制している。更に、カバーパネル１４および液晶パネル１２に負荷が作用し液晶パネル１２が僅かに撓んだ場合、液晶パネル１２は第１押え部２４ａに当接し、この第１押え部２４ａにより支持される。
【００２９】
図６は、ケースの側板およびこの側板に装着された第２押え部材の断面を含むバックライトユニットの光源側端部を示す平面図である。  
図３、図６、および図１２〜図１４に示すように、第２押え部材４０は、第１固定部４０ｂおよび第２固定部４０ｃをケース１６の側板１７ｂに装着することにより、ケース１６に固定される。３つの第１固定部４０ｂは、それぞれ側板１７ｂの内面とスペーサ板３４との間に配置され、第１固定部４０ｂの第１係止爪４２ａが側板１７ｂの第１係止爪２１ａと係合することにより、側板１７ｂに取付けられている。２つの第２固定部４０ｃは、２つの凹部１８が設けられた位置で側板１７ｂの外面側に配置され、第２固定部４０ｃの第２係止爪４２ｂが側板１７ｂの第２係止爪２１ｂとそれぞれ係合することにより、側板１７ｂに取付けられている。更に、一対の第３固定部４０ｄは、それぞれ対応する側板１７ｄ、１７ｅの内面に当接し、第３固定部４０ｄの第３係止爪４２ｃが側板１７ｄ、１７ｅの第３係止爪２１ｃと係合することで、側板１７ｄ、１７ｅに取付けられている。このように、第２押え部材４０は、複数の第１固定部４０ａと複数の第２固定部４０ｃとにより側板１７ｂを両面側から挟み込んだ状態で、側板１７に固定されている。
【００３０】
図１２乃至図１４に示すように、第２押え部材４０の第２押え部４０ａは、側板１７ｂからケース１６の内方に向かってほぼ垂直に延出し、光学シートＯＳ３の光源側端部と液晶パネル１２との間に介在している。第２押え部４０ａは、側板１７ｂの全長に亘って延在し、光源ユニット３０、スペーサ板４３、導光板ＬＧの光源側端部、および光学シートＯＳ１〜ＯＳ３の光源側端部を覆っている。第２押え部４０ａは、液晶パネル１２の額縁領域ＥＤと重畳する位置に設けられ、僅かな隙間（例えば、０．５〜２．０ｍｍ）を置いて液晶パネル１２に対向している。第２押え部４０ａは、僅かな隙間を介して、光学シートＯＳ３の光源側端部に対向している。本実施形態において、第２押え部４０ａの延出端部と液晶パネル１２の背面との間に弾性材層として機能するクッションシートＣＨあるいは接着剤層が設けられている。第２押え部４０ａの延出端部は、クッションシートＣＨを介して液晶パネル１２の背面に当接し液晶パネル１２を支持可能となっている。
【００３１】
上記のように構成された第２押え部材４０は、光学シートＯＳ１〜ＯＳ２の熱膨張を許容しつつ、光学シートの位置ずれを規制している。第１固定部４０ｂおよび第２固定部４０ｃによって側板１７ｂを両面から挟み込む構造とすることにより、側板１７ｂおよびケース１６の機械的強度を上げることが可能となる。また、第２押え部４０ａは、対向する側板１７ｄから側板１７ｅに亘って延在し、両側板１７ｄ、１７ｅおよび側板１７ｂに連結されていることから、第２押え部４０ａは梁材として機能し、ケース１６の光源側端部の機械的強度を上げている。更に、第２押え部４０ａは、光源ユニット３０を覆うように配置されていることから、光源ユニット３０からの漏れ光を遮光する遮光部材として機能している。
上記のように構成されたバックライトユニット２０は、カバーパネル１４に固定されたケース１６内に収容され、このケース１６を介してカバーパネル１４に支持されている。バックライトユニット２０は、隙間を介して液晶パネル１２に対向し、液晶パネルに直接的に接触していない。
【００３２】
以上のように構成された本実施形態の液晶表示装置によれば、液晶パネル１２にカバーパネル１４を固定し、更に、バックライトユニット２０を収容したケース１６をカバーパネル１４に直接固定した構造とすることにより、従来用いていたフロントフレーム、樹脂フレーム等を削除でき、薄型、狭額縁の液晶表示装置を実現することができる。また、ケース１６の反光源側に第１押え部材２４を設け、この第１押え部材２４により、光学シートＯＳ、導光板ＬＧ等の光学部材の厚さ方向の位置ずれ、脱落を防止している。
ケース１６の光源側の側板に金属板からなる第２押え部材を設け、この第２押え部材４０で光源ユニットおよび導光板および光学シートの光源側端部を覆うことにより、光学シートＯＳおよび導光板ＬＧの厚さ方向の位置ずれおよび脱落を防止している。第２押え部材４０で覆うことにより、光学シート端や導光板の端の見えやＬＥＤ配置側の見栄え分布の改善を図ることができる。同時に、第２押え部材４０により光源ユニット３０からの漏れ光を遮光することができ、光源側端部の見栄えおよび表示品位を向上することができる。更に、第２押え部材４０をケース１６の側板１７ｂおよび一対の側板１７ｄ、１７ｅに固定することにより、第２押え部材４０を梁として機能させ、ケース１６の光源側端部の剛性および機械的強度を上げることができる。
【００３３】
前述したように、バックライトユニット２０を収容したケース１６、すなわち、バックライトユニット２０を支持しているケース１６をカバーパネル１４に固定し、バックライトユニット２０をケース１６を介してカバーパネル１４で支持する構成とすることにより、バックライトユニット２０と液晶パネル１２の背面との間に隙間を置いた状態でバックライトユニット２０および液晶パネル１２をケース１６内に配置することが可能となる。そして、このような隙間を設けることにより、バックライトユニット２０の歪、振動等が液晶パネルに影響を与えることがなく、液晶パネルの表示異常の発生を回避することが可能となる。  
以上のことから、本実施形態によれば、剛性、強度を維持しつつ薄型化、狭額縁化が可能な液晶表示装置が得られる。
【００３４】
本発明の実施形態を説明したが、この実施形態は、例として提示したものであり、発明の範囲を限定することは意図していない。新規な実施形態および変形例は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００３５】
本発明の実施形態として上述した各構成を基にして、当業者が適宜設計変更して実施し得る全ての構成も、本発明の要旨を包含する限り、本発明の範囲に属する。例えば、液晶パネル、バックライトユニットの構成部材、およびケースの外形状および内形状は、矩形状に限定されることなく、外形あるいは内形のいずれか一方あるいは両方を平面視で多角形状や円形、楕円形、およびこれらを組み合わせた形状等の他の形状としてもよい。液晶表示装置およびバックライト装置は、平坦な形状に限らず、一部あるいは全部が湾曲あるいは傾斜した形状としてもよい。構成部材の材料は、上述した例に限らず、種々選択可能である。  
上述した実施形態によりもたらされる他の作用効果について本明細書の記載から明らかなもの、又は当業者において適宜想到し得るものついては、当然に本発明によりもたらされるものと解される。
【符号の説明】
【００３６】
１０…液晶表示装置、１２…液晶パネル、１４…カバーパネル、１６…ケース、  
１７ａ…底板、１７ｂ、１７ｃ…側板、１７ｄ、１７ｅ…側板、  
２０…バックライトユニット（バックライト装置）、２４…第１押え部材、  
２４ｂ…第１押え部、３０…光源ユニット（光源装置）、３２…ＬＥＤ、  
３４…スペーサ板、４０…第２押え部材、４０ａ…第２押え部、４０ｂ…第１固定部、  
４０ｃ…第２固定部、ＬＧ…導光板、ＯＳ１、ＯＳ２、ＯＳ３…光学シート
【図１】
2020118900.tif 000003
【図２】
2020118900.tif 000004
【図３】
2020118900.tif 000005
【図４】
2020118900.tif 000006
【図５】
2020118900.tif 000007
【図６】
2020118900.tif 000008
【図７】
2020118900.tif 000009
【図８】
2020118900.tif 000010
【図９】
2020118900.tif 000011
【図１０】
2020118900.tif 000012
【図１１】
2020118900.tif 000013
【図１２】
2020118900.tif 000014
【図１３】
2020118900.tif 000015
【図１４】
2020118900.tif 000016